【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
円形の断面を有するシャフトロッド（２０）を有し、その周面上に互いに離間し、かつ前記シャフトロッド（２０）の前記周面から外向きに延在するブレード要素（２２、２２’、２２’’、２２’’’、２２ｉｖ、２２ｖ）が配置されている混合混練機（１００）用のウォームシャフト（１２）であって、ここで、前記ブレード要素（２２、２２’、２２’’、２２’’’、２２ｉｖ、２２ｖ）は、前記ウォームシャフト（１２）の軸方向に延在する３つの列（４０）で、前記ウォームシャフト（１２）の軸方向に延在する少なくとも１つのセクションで前記シャフトロッド（２０）の周面上に配置され、ここで、前記ウォームシャフト（１２）の軸方向に延在するこのセクションは、前記３つの列（４０）に配置された前記ブレード要素以外にいかなるブレード要素も含まず、ここで、ｉ）前記列（４０）の２つのうち少なくとも一方における前記ブレード要素（２２、２２’、２２’’、２２’’’、２２ｉｖ、２２ｖ）の少なくとも１つは、より短いおよび／もしくはより幅が狭いことによって前記列（４０）の他方の１つにおける前記ブレード要素（２２、２２’、２２’’、２２’’’、２２ｉｖ、２２ｖ）の１つとは異なり、および／またはｉｉ）前記ブレード要素（２２、２２’、２２’’、２２’’’、２２ｉｖ、２２ｖ）の前記列（４０）は、前記シャフトロッド（２０）の断面で見て、前記シャフトロッド（２０）の外周面によって画定された円周上に不規則に分布している、ウォームシャフト（１２）。
【請求項２】
隣接する列（４０）のシャフトロッド（２０）の周面上の前記ブレード要素（２２、２２’、２２’’、２２’’’、２２ｉｖ、２２ｖ）の外周面の中点Ｍ間の角距離が、少なくとも他方の２つの列（４０）のうちの３つの列（４）のうちの少なくとも２つの列の間で異なることを特徴とする、請求項１に記載のウォームシャフト（１２）。
【請求項３】
前記ウォームシャフト（１２）の軸方向に延在する前記少なくとも１つのセクションの各列（４０）のブレード要素（２２、２２’、２２’’、２２’’’、２２ｉｖ、２２ｖ）の少なくとも８０％が互いに同一であることを特徴とする、請求項１または２に記載のウォームシャフト（１２）。
【請求項４】
前記ブレード要素（２２、２２’、２２’’、２２’’’、２２ｉｖ、２２ｖ）が前記ウォームシャフト（１２）の軸方向に延在する３つの列（４０）で配置されている、軸方向に延在する前記ウォームシャフト（１２）のセクションの長さが、前記ウォームシャフト（１２）の長さの少なくとも０．２Ｄであることを特徴とする、請求項１に記載のウォームシャフト（１２）。
【請求項５】
前記ウォームシャフト（１２）の軸方向に延在する前記少なくとも１つのセクションの前記ブレード要素（２２、２２’、２２’’、２２’’’、２２ｉｖ、２２ｖ）の各々が、前記ウォームシャフト（１２）の軸方向に４５°〜１３５°の角度で延在する長手方向の伸長を有することを特徴とする、請求項１に記載のウォームシャフト（１２）。
【請求項６】
上面図で前記ウォームシャフト（１２）の軸方向に延在する前記少なくとも１つのセクションの前記ブレード要素（２２、２２’、２２’’、２２’’’、２２ｉｖ、２２ｖ）の少なくとも５０％が、平行四辺形、長円形、楕円形、両凸、変形長円形、変形楕円形、変形両凸、および変形長方形で構成される群から選択される形態の外周面を有することを特徴とする、請求項１に記載のウォームシャフト（１２）。
【請求項７】
列（４０）の前記ブレード要素（２２、２２’、２２’’、２２’’’、２２ｉｖ、２２ｖ）のすべてが同じ形状であり、ここで、前記３つの列（４０）のうちの２つの列の前記ブレード要素（２２、２２’、２２’’、２２’’’、２２ｉｖ、２２ｖ）の形状は同じであり、第３の列（４０）の前記ブレード要素（２２、２２’、２２’’、２２’’’、２２ｉｖ、２２ｖ）の形状とは異なることを特徴とする、請求項６に記載のウォームシャフト（１２）。
【請求項８】
前記ウォームシャフトの軸方向に延在する少なくとも１つのセクションにおける前記３つの列（４０）のうちの２つの列の前記ブレード要素（２２、２２’、２２’’、２２’’’、２２ｉｖ、２２ｖ）は互いに同一であり、前記第３の列（４０）の前記ブレード要素（２２、２２’、２２’’、２２’’’、２２ｉｖ、２２ｖ）は、他方の列（４０）の前記ブレード要素（２２、２２’、２２’’、２２’’’、２２ｉｖ、２２ｖ）と同じかまたは異なる形状であり、ここで、前記第３の列（４０）の前記ブレード要素（２２、２２’、２２’’、２２’’’、２２ｉｖ、２２ｖ）は、他方の２つの列（４０）の前記ブレード要素（２２、２２’、２２’’、２２’’’、２２ｉｖ、２２ｖ）よりも１〜２５％長い、短い、狭い、または広いことを特徴とする、請求項１に記載のウォームシャフト（１２）。
【請求項９】
前記ウォームシャフト（１２）の軸方向に延在する少なくとも１つのセクションにおける前記３つの列（４０）のうちの２つの列の前記ブレード要素（２２、２２’、２２’’、２２’’’、２２ｉｖ、２２ｖ）が互いに同一であり、前記シャフトロッド（２０）の周面上の２つの列（４０）における前記ブレード要素（２２、２２’、２２’’、２２’’’、２２ｉｖ、２２ｖ）の外周面にある中点Ｍ間の角距離αが、前記シャフトロッド（２０）の周面上の他方の列の外周面にある中点Ｍと前記２つの列（４０）の外周面にある中点Ｍの各々との間の角距離とは異なることを特徴とする、請求項１に記載のウォームシャフト（１２）。
【請求項１０】
前記シャフトロッド（２０）の周面上で前記ウォームシャフト（１２）の軸方向に延在する前記少なくとも１つのセクションの前記３つの列（４０）のうちの２つの列における前記ブレード要素（２２、２２’、２２’’、２２’’’、２２ｉｖ、２２ｖ）の外周面にある中点Ｍ間の角距離αは、１２４°〜１４６°であり、前記シャフトロッド（２０）の外周面上の他方の列の外周面にある中点Ｍと２つの列（４０）の外周面にある各中点Ｍとの間の角距離ブレード要素は、１０２°〜１２３°であることを特徴とする、請求項１に記載のウォームシャフト（１２）。
【請求項１１】
前記ウォームシャフト（１２）の軸方向に延在する前記少なくとも１つのセクションにおける前記３つの列（４０）のうちの２つの列の前記ブレード要素（２２、２２’、２２’’、２２’’’、２２ｉｖ、２２ｖ）の各々は、前記シャフトロッド（２０）の断面で見て、前記シャフトロッド（２０）の周面の同じ角距離上に延在し、他方の列（４０）の前記ブレード要素（２２、２２’、２２’’、２２’’’、２２ｉｖ、２２ｖ）の各々は、より短いかより長い角度セクション上に延在し、ここで前記角距離間の差は、１〜２０％であることを特徴とする、請求項１に記載のウォームシャフト（１２）。
【請求項１２】
前記ウォームシャフト（１２）の軸方向に延在する前記少なくとも１つのセクションにおける前記３つの列（４０）のうちの２つ列の前記ブレード要素（２２、２２’、２２’’、２２’’’、２２ｉｖ、２２ｖ）の各々は、前記シャフトロッド（２０）の断面で見て、前記シャフトロッド（２０）の周面の２０°〜１７５°の角距離上に延在し、前記３つの列（４０）の他方の列の前記ブレード要素（２２、２２’、２２’’、２２’’’、２２ｉｖ、２２ｖ）の各々は、２０°〜１２０°の角距離上に延在することを特徴とする、請求項１に記載のウォームシャフト（１２）。
【請求項１３】
円形の断面を有するシャフトロッド（２０）を備えたウォームシャフト（１２）のセクションであって、ここで、前記シャフトロッド（２０）の周面から外向きに延在する離間したブレード要素（２２、２２’、２２’’、２２’’’、２２ｉｖ、２２ｖ）は、前記シャフトロッド（２０）の周面上に配置され、ここで、前記ブレード要素（２２、２２’、２２’’、２２’’’、２２ｉｖ、２２ｖ）は、前記ウォームシャフト（１２）の軸方向に延在する３つの列（４０）で前記シャフトロッド（２０）の周面上に配置され、ここで、前記ウォームシャフト（１２）の軸方向に延在するこのセクションは、前記３つの列（４０）に配置された前記ブレード要素以外にいかなるブレード要素も含まず、ここで、ｉ）前記列（４０）の２つのうち１つにおける前記ブレード要素（２２、２２’、２２’’、２２’’’、２２ｉｖ、２２ｖ）の少なくとも１つは、より短いおよび／もしくはより幅が狭いことによって前記列（４０）の他方の１つにおける前記ブレード要素（２２、２２’、２２’’、２２’’’、２２ｉｖ、２２ｖ）の少なくとも他の１つとは異なり、および／またはｉｉ）前記ブレード要素（２２、２２’、２２’’、２２’’’、２２ｉｖ、２２ｖ）の前記列は、前記シャフトロッド（２０）の断面で見て、前記シャフトロッド（２０）の外周面によって画定された円周上に不規則に分布し、またここで、各列（４０）は、互いから軸方向に分離された１つ、２つ、３つ、または４つのブレード要素（２２、２２’、２２’’、２２’’’、２２ｉｖ、２２ｖ）を含む、セクション。
【請求項１４】
連続調製プロセス用の混合混練機（１００）のハウジング（１０）であって、内部に中空の内部空間（１８）が形成されている前記ハウジング（１０）内には、少なくとも軸方向のセクションにおいて、請求項１〜１２の少なくとも一項によるウォームシャフト（１２）、または請求項１３によるウォームシャフト（１２）のための１つ以上のセクションが延在し、前記ハウジング（１０）の内周面には、前記ハウジング（１０）内に少なくともセクションにおいて延在する混練要素（２４）用のレセプタクル（２８）が配置され、前記ハウジング（１０）の内周面上の前記レセプタクル（２８）は、前記ハウジング（１０）の内周面の少なくとも１つのセクションにわたって軸方向に延在する少なくとも３つの列（２９、２９’、２９’’）に配置されている、ハウジング（１０）。
【請求項１５】
請求項１４に記載のハウジングを含む、ポリマー顆粒、ポリマー押出形材、またはポリマー成形部品の製造などの連続調製プロセス用の混合混練機（１００）。